(57)【要約】【課題】風呂注湯温度で給湯される給湯と注湯とが同時使用される場合で、注湯温度と給湯設定温度との温度差が大きい時は、注湯温度での給湯を報知させる給湯風呂を提供する。【解決手段】出湯管７から供給される高温水と、給水バイパス管２６からの給水とを、リモコン５で設定された設定温度になるように混合する混合弁２５と、該混合弁２５で給湯設定温度に調節された湯水を給湯として給湯栓４から供給する給湯管２７と、この給湯管２７の途中から分岐し、風呂循環回路２２を介して浴槽６へ前記混合弁２５で風呂注湯温度に調節された湯水を注湯する湯張り管２９とを備えたもので、前記給湯と注湯とが同時に行われる場合は、混合弁２５の湯水調節を風呂注湯温度とする制御手段４２を備え、更に制御手段４２は、風呂注湯温度と給湯設定温度との差を比較し、風呂注湯温度が所定温度以上低かった時は、リモコン５で風呂注湯温度で給湯されていることを報知させる。【選択図】  図２
2016125763.tif 000002
【特許請求の範囲】
【請求項１】
出湯管から供給される高温水と、給水バイパス管からの給水とを、リモコンで設定された設定温度になるように混合する混合弁と、該混合弁で給湯設定温度に調節された湯水を給湯として給湯栓から供給する給湯管と、この給湯管の途中から分岐し、風呂循環回路を介して浴槽へ前記混合弁で風呂注湯温度に調節された湯水を注湯する湯張り管とを備えたものに於いて、前記給湯と注湯とが同時に行われる場合は、混合弁の湯水調節を風呂注湯温度とする制御手段を備え、更に制御手段は、風呂注湯温度と給湯設定温度との差を比較し、風呂注湯温度が所定温度以上低かった時は、リモコンで風呂注湯温度で給湯されていることを報知させるようにした事を特徴とする給湯風呂装置。
【発明の詳細な説明】
【技術分野】
【０００１】
この発明は、給湯と共に風呂の注湯が行えるようにした給湯風呂装置に関するものである。
【背景技術】
【０００２】
従来よりこの種のものに於いては、給湯と風呂の注湯を１つの混合弁で、それぞれ給湯設定温度と風呂注湯温度に調節して、給湯と風呂の注湯に供給するものであり、そして万一給湯と風呂の注湯が重なった場合は、設定温度が低い温度である風呂の注湯温度に合わせて混合弁を調節して、給湯も行うようにして、火傷の危険を回避するようにしているものであった。（例えば、特許文献１参照）
【先行技術文献】
【特許文献】
【０００３】
【特許文献１】特開２０１４−１１９２１４号公報
【発明の概要】
【発明が解決しようとする課題】
【０００４】
ところでこの従来のものでは、安全ではあるが、実際の注湯温度の給湯と希望した給湯温度との温度差が大きいと、機器の故障と誤判断したり、給湯使用に不満を抱く等の新たな課題が発生するものであった。
【課題を解決するための手段】
【０００５】
この発明はこの点に着目し、上記欠点を解決する為、特にその構成を、出湯管から供給される高温水と、給水バイパス管からの給水とを、リモコンで設定された設定温度になるように混合する混合弁と、該混合弁で給湯設定温度に調節された湯水を給湯として給湯栓から供給する給湯管と、この給湯管の途中から分岐し、風呂循環回路を介して浴槽へ前記混合弁で風呂注湯温度に調節された湯水を注湯する湯張り管とを備えたものに於いて、前記給湯と注湯とが同時に行われる場合は、混合弁の湯水調節を風呂注湯温度とする制御手段を備え、更に制御手段は、風呂注湯温度と給湯設定温度との差を比較し、風呂注湯温度が所定温度以上低かった時は、リモコンで風呂注湯温度で給湯されていることを報知させるようにしたものである。
【発明の効果】
【０００６】
以上のようにこの発明によれば、給湯と風呂の注湯との同時使用時で、且つ給湯設定温度と実際に給湯さけれる温度である風呂注湯温度とを比較し、風呂注湯温度が所定温度以上低かった場合に、リモコンにより風呂注湯温度で給湯されていることを報知するので、使用者は低い温度の給湯の訳を知ることが出来、機器の故障と誤判断することもなく、一時的なことと理解して我慢することが出来るものである。
【図面の簡単な説明】
【０００７】
【図１】この発明の一実施形態を示す給湯風呂装置の概略構成図。
【図２】同給湯と風呂の注湯の同時使用時を説明するフローチャート。
【図３】同リモコンの説明図。
【図４】同リモコンの表示部の説明図。
【発明を実施するための形態】
【０００８】
次にこの発明一実施形態を付した貯湯式の給湯風呂装置について図面に基づいて説明する。
この給湯風呂装置は、時間帯別契約電力の電力単価が安価な深夜時間帯に湯水を沸き上げて貯湯し、この貯湯した湯水を給湯に用いるもので、１は湯水を貯湯する貯湯タンク２を備えた貯湯タンクユニット、３は貯湯タンク２内の湯水を加熱する加熱手段としてのヒートポンプユニット、４は台所や洗面所等に設けられた給湯栓、５はこの給湯風呂装置を遠隔操作するように台所や浴室内に設置されたリモコン、６は浴槽である。
【０００９】
前記貯湯タンクユニット１の貯湯タンク２は、上端に出湯管７と、下端に給水管８とが接続され、更に下部にヒーポン循環回路を構成するヒーポン往き管９と、上部にヒーポン循環回路を構成するヒーポン戻り管１０とが接続され、前記ヒートポンプユニット３によってヒーポン往き管９から取り出した貯湯タンク２内の湯水を沸き上げてヒーポン戻り管１０から貯湯タンク２内に戻して貯湯され、給水管８からの給水により貯湯タンク２内の湯水が押し上げられて貯湯タンク２内上部の高温水が出湯管７から押し出されて給湯されるものである。
【００１０】
前記ヒートポンプユニット３は、圧縮機１１と凝縮器としての冷媒−水熱交換器１２と電子膨張弁１３と強制空冷式の蒸発器１４で構成されたヒートポンプ回路１５と、貯湯タンク２内の湯水を前記ヒーポン往き管９およびヒーポン戻り管１０を介して冷媒−水熱交換器１２に循環させるヒーポン循環ポンプ１６と、それらの駆動を制御するヒーポン制御部１７とを備えており、ヒートポンプ回路１５内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００１１】
ここで、前記冷媒−水熱交換器１２は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の冷媒−水熱交換器１２入口温度と冷媒の出口温度との温度差が一定になるように前記電子膨張弁１２または圧縮機１１を制御することで、ＣＯＰ（エネルギー消費効率）がとても良い状態で被加熱水を加熱することが可能なものである。
【００１２】
次に、１８は前記浴槽６の湯水を加熱するためのステンレス製の蛇管よりなる風呂用熱交換器で、貯湯タンク２内の上部に配置されていると共に、この風呂用熱交換器１８には風呂往き管１９および風呂循環ポンプ２０を備えた風呂戻り管２１よりなる風呂循環回路２２が接続されて浴槽６の湯水が循環口６ａから循環可能にされ、浴槽６内の湯水が貯湯タンク２内の高温水により加熱されて保温あるいは追い焚きが行われるものである。
【００１３】
２３は風呂戻り管２１を介して風呂用熱交換器１８に流入する浴槽水の温度を検出する風呂戻り温度センサ、２４は風呂用熱交換器１８を流出して風呂往き管１９を介して浴槽６へ流れる浴槽水の温度を検出する風呂往き温度センサである。
【００１４】
次に、２５は出湯管７からの湯と給水管９から分岐された給水バイパス管２６からの給水を混合する電動ミキシング弁より構成された混合弁であり、その下流の給湯管２７に設けた給湯温度センサ２８で検出した湯温がリモコン５で使用者が設定した給湯設定温度になるように混合比率が制御されるものである。
【００１５】
２９は給湯管２７から分岐されて風呂戻り管２１に連通された湯張り管で、この湯張り管２９には、浴槽６への湯張りの開始／停止を行う湯張り弁３０と、浴槽６への湯張り量をカウントする風呂流量カウンタ３１と、、浴槽水が給湯管２７へ逆流するのを防止する逆止弁３２と、同一温度である湯張り温度及び、風呂戻り管２１を介して浴槽に注湯される風呂注湯温度を検出する注湯温度センサ３３とが設けられているものである。
【００１６】
次に、３４は貯湯タンク２の上下方向に複数個配置された貯湯温度センサで、この実施形態では５つの貯湯温度センサが配置され上から３４ａ、３４ｂ、３４ｃ、３４ｄ、３４ｅと呼び、この貯湯温度センサ３４が検出する温度情報によって、貯湯タンク２内にどれだけの熱量が残っているかを検知し、そして貯湯タンク２内の上下方向の温度分布を検知するものであり、そして３４ｂによって風呂用熱交換器１８が位置する貯湯タンク２内の温度検知し、この温度が所定温度以上ここでは６０℃以上を検知すると信号を発信するものである。
【００１７】
前記リモコン５には、給湯設定温度を設定する給湯温度設定スイッチ３５、風呂設定温度である風呂注湯温度を設定する注湯温度設定スイッチ３６がそれぞれ設けられていると共に、浴槽６へ風呂注湯温度の湯水をリモコン５の湯張り量設定スイッチ（図示せず）で設定された湯張り量だけ湯張りし所定時間保温させる風呂自動スイッチ３７と、浴槽水を追い焚きさせる追い焚きスイッチ３８と、設定された注湯温度で且つ湯張り量設定スイッチで設定された注湯を浴槽６に行う注湯スイッチ３９とが設けられているものであり、注湯は設定量に達していなくとも、注湯スイッチ３９を再び押圧することで手動で停止することが出来るものである。
【００１８】
更にこのリモコン５には、上記で設定された給湯温度や風呂注湯温度等を表示するために、液晶表示の表示部４０と、リモコン５のケーシングに設けられた小穴の背面に備えられブザー音による警報音や音声報知を発するスピーカー４１とが備えられ、ブザー音を発せさせる場合はブザー鳴動回路、音声報知を発せさせる場合は音声合成回路（共に図示せず）が設けられているものである。
【００１９】
４２は貯湯タンクユニット１内の各センサの入力を受け各アクチュエータの駆動を制御するマイコンを有し制御部を構成する制御手段である。この制御手段４２に前記リモコン５が無線または有線により接続され使用者が任意の給湯設定温度および風呂注湯温度を設定できるようにしているものであり、又混合弁２５は１つのみで給湯と風呂の注湯で共用しているので、給湯と風呂の注湯とが同時使用された場合は、設定される温度が比較的低い風呂注湯温度で混合弁２５を制御するものであり、更にこの時制御手段４２は、給湯設定温度と風呂注湯温度とを比較し、風呂注湯温度が所定温度以上ここでは１０℃以上低い時、表示部４０にその旨即ち「風呂注湯中です。給湯の際は注意ください。給湯温度は、風呂注湯温度と同じ温度になります。」を文字表示して報知すると共に、「風呂注湯温度で給湯しています。」を音声でも報知させるものである。
【００２０】
なお、４３は貯湯タンク２の過圧を逃す過圧逃し弁、４４は給水の圧力を減圧する減圧弁、４５は給湯する湯水の量をカウントする給湯流量カウンタ、４６は給水の温度を検出する給水温度センサである。
【００２１】
次にこの一実施形態の作動を説明する。
まず、深夜電力時間帯になって貯湯温度センサ３４が貯湯タンク２内に翌日に必要な熱量が残っていないことを検出すると、制御手段４２はヒーポン制御部１７に対して沸き上げ開始指令を発する。指令を受けたヒーポン制御部１７は圧縮機１１を起動した後にヒーポン循環ポンプ１６を駆動開始し、貯湯タンク２下部に接続されたヒーポン往き管９から取り出した５〜２０℃程度の低温水を冷媒−水熱交換器１２で７０〜９０℃程度の高温に加熱し、貯湯タンク２上部に接続されたヒーポン戻り管１０から貯湯タンク２内に戻し、貯湯タンク２の上部から順次積層して高温水を貯湯していく。貯湯温度センサ３４が必要な熱量が貯湯されたことを検出すると、制御手段４２はヒーポン制御部１７に対して沸き上げ停止指令を発し、ヒーポン制御部１７は圧縮機１１を停止すると共にヒーポン循環ポンプ１６も停止して沸き上げ動作を終了するものである。
【００２２】
次に給湯運転について説明すると、給湯栓４を開くと、給水管８からの給水が貯湯タンク２内に流れ込む。そして貯湯タンク２に貯められた高温水が出湯管７を介して混合弁２５へ流入し、給水バイパス管２６からの給水と混合され、制御手段４１により混合弁２５の混合比率が調整されて給湯設定温度の湯が給湯栓４から給湯される。そして、給湯栓４の閉止によって給湯が終了するものである。
【００２３】
次に前記の給湯中に風呂注湯運転を開始した場合を、図４に示すフローチャートに従って説明すると、ステップ４７で制御手段４２が風呂注湯温度と給湯設定温度とを比較し、風呂注湯温度が所定温度ここでは１０℃以上低いかを判断し、ＹＥＳではステップ４８に進み「風呂注湯中です。給湯の際は注意ください。給湯温度は、風呂注湯温度と同じ温度になります。」を文字と音声（１回のみ）で報知させるものである。
【００２４】
そしてステップ４９に進んで風呂注湯温度で注湯を開始し、ステップ５０で設定量の注湯が行われたか、注湯スイッチ３９を再度押圧した手動停止で浴槽６への注湯を終了し、ＹＥＳでステップ５１に進んで「風呂注湯中です。給湯の際は注意ください。給湯温度は、風呂注湯温度と同じ温度になります。」の文字報知を終了させるものであり、又ステップ４７でそんなに温度差がないＮＯの場合は、直接ステップ４９に進んで注意報知することなく注湯を開始させるものである。
【００２５】
給湯と風呂の注湯との同時使用時で、且つ給湯設定温度と実際に給湯さけれる温度である風呂注湯温度とを比較し、風呂注湯温度が所定温度以上低かった場合には、リモコンにより風呂注湯温度で給湯されていることを文字と音声で報知するので、使用者は確実に低い温度の給湯の訳を知ることが出来、機器の故障と誤判断することもなく、一時的なことと理解して我慢することが出来るものである。
【符号の説明】
【００２６】
４  給湯栓
７  出湯管
５  リモコン
６  浴槽
２２  風呂循環回路
２５  混合弁
２６  給水バイパス管
２７  給湯管
２９  湯張り管
４０  表示部
【図１】
2016125763.tif 000003
【図２】
2016125763.tif 000004
【図３】
2016125763.tif 000005
【図４】
2016125763.tif 000006